(57)【要約】【課題】  電子ビューファインダ（ＥＶＦ）を覗きながらのストロボ撮影の場合、撮影者は撮影中にストロボが光ったかどうかを"目視"で確認することができない。【解決手段】電子ビューファインダ（ＥＶＦ）撮影時、ストロボ発光させた時はストロボ発光タイミングを含む時間、ＥＶＦ表示をストロボ発光がわかるような表示に変更する。【選択図】  図１
2018189807.tif 000002
【特許請求の範囲】
【請求項１】
表示装置を備えた撮像装置であって、
前記表示装置に被写体のライブビュー表示をする手段と、
レリーズ指示手段と、ストロボ発光手段と、
撮像素子による、露光手段と、
前記露光手段によって得た結果を読み出す手段と、
前記表示装置をライブビュー以外の画像に差し替える手段と、
前記ストロボが発光した撮影の場合には、前記レリーズ指示をうけてから露光結果読み出しが完了するまでの期間のうち、ストロボ発光タイミングを含む所定時間において、
前記表示装置をライブビュー以外の画像（前記ストロボ発光が成功していることを伝える画像）に差し替える、もしくは被写体のゲインを上げて明るく白とびさせてライブビュー表示にすることを特徴とする撮像装置。
【請求項２】
前記表示装置は、前記ストロボ発光が失敗した撮影の場合には、前記レリーズ指示をうけてから露光結果読み出しが完了するまでの期間のうち、ストロボ発光タイミングを含む所定時間において、前記表示装置をライブビュー以外の画像（前記ストロボ発光が失敗していることを伝える画像）に差し替える、もしくは被写体のゲインを下げて黒くさせてライブビュー表示にすることを特徴とする請求項１に記載の撮像装置。
【発明の詳細な説明】
【技術分野】
【０００１】
本発明はカメラに係り、特にストロボに発光をさせるカメラに関する。
【背景技術】
【０００２】
従来、電子ビューファインダ（ＥＶＦ）を覗きながらのストロボ撮影の場合、撮影者は撮影中にストロボが光ったかどうかを"目視"で確認することができない。上記問題に対し、例えば特許文献１で提案されているように、撮影前にストロボ発光可能な状態か否かを撮影者が確認できるように、報知音をスピーカーから出力するようにしたものが提案されている。
【先行技術文献】
【特許文献】
【０００３】
【特許文献１】特開２００５−３７７９０号公報
【発明の概要】
【発明が解決しようとする課題】
【０００４】
しかしながら、例えば特許文献１のように、報知音をスピーカーから出力するだけでは、撮影者はリアルタイムにストロボ発光を確認することが難しい。また、騒音が大きい場所、音を出すことが望ましくない場面等での撮影においてはストロボ発光確認が難しいという課題がある。
【０００５】
本発明は上記課題を鑑みてなされたものであり、電子ビューファインダ（ＥＶＦ）を覗きながらのストロボ撮影の場合、ストロボを発光させたときはストロボ発光タイミングを含む時間、電子ビューファインダ（ＥＶＦ）の表示をストロボ発光がわかるような表示に変更することを目的とする。
【課題を解決するための手段】
【０００６】
上記課題を解決するために、電子ビューファインダ（ＥＶＦ）を備えた撮像装置は、電子ビューファインダは被写体をライブビュー表示でき、レリーズ指示手段と、ストロボ発光手段と、撮像素子による露光手段と、露光結果読み出し手段と電子ビューファインダ（ＥＶＦ）表示をライブビュー以外の画像に差し替える手段を備え、ストロボ発光撮影の場合は、レリーズ指示を受けてから露光結果読み出しが完了するまでの期間のうち、ストロボ発光タイミングを含む所定時間において  電子ビューファインダ（ＥＶＦ）表示をライブビュー以外の画像に差し替える  もしくは  ゲインを上げて明るく白とびさせてライブビュー表示にすることを特徴とする。
【発明の効果】
【０００７】
本発明によれば、電子ビューファインダ（ＥＶＦ）撮影において、撮影者がストロボ発光をリアルタイムかつ容易に確認することができる。
【図面の簡単な説明】
【０００８】
【図１】本発明にかかる撮像装置の構成を示すブロック図
【図２】第１の実施形態におけるストロボ発光を電子ビューファインダ（ＥＶＦ）に表示するフローチャート
【図３】第１の実施形態における電子ビューファインダ（ＥＶＦ）にストロボ発光確認画面を表示するシーケンス
【図４】第１の実施形態における電子ビューファインダ（ＥＶＦ）の画面表示例
【図４ａ】第１の実施形態におけるストロボ発光確認画面表示時の電子ビューファインダ（ＥＶＦ）の画面表示例
【発明を実施するための形態】
【０００９】
［第１の実施形態］
以下に、本発明の好ましい実施の形態を、添付の図面に基づいて詳細に説明する。図１は本発明の第１の実施形態における、撮像装置の構成を示すブロック図である。
【００１０】
図１において、撮像素子１０８は２次元配列された複数のフォトダイオードからなり、被写体を撮像する。撮像素子１０８は撮像制御部１０７を介して後述ＣＰＵ１０３から制御される。撮像素子１０８で得られた画像は記憶部１０４へ記録される。
【００１１】
ストロボ１０２は電荷を充電する充電部を有し、撮像素子１０８によって被写体が撮影される際に、後述ＣＰＵ１０３からの発光開始信号に従って電荷を放電して発光し、発光停止信号がＣＰＵ１０３から出力されたときには発光を停止する。なおストロボは撮像装置に接続される形態であってもよい。
【００１２】
操作部１０６は撮影準備指示及び撮影指示をするためのレリーズボタン、及び、各種の設定をするための設定スイッチを含む。レリーズボタンは、半押しされてＳ１スイッチと全押し時にオンするＳ２スイッチがオンするようになっている。設定スイッチは、ストロボ禁止、及びストロボ強制発光の設定が可能になっている。設定スイッチの設定内容はフラッシュメモリ１０５へ記録される。
【００１３】
レリーズボタンの全押し（Ｓ２オン）により撮影指示がされ、ストロボ１０２を発光させるとき、電子ビューファインダ（ＥＶＦ）１０１にストロボ発光したことを知らせる画面表示を表示する。また、ストロボ１０２の発光を確認する手段１０９を保有している。
【００１４】
ストロボ発光確認手段１０９はストロボの反射光で確認をする、または、ストロボ部のコンデンサの電圧を見ることで確認することができる。電子ビューファインダ（ＥＶＦ）１０１にストロボ発光を知らせる画面表示はフラッシュメモリ１０５にあらかじめ格納されている画像を使用するか、もしくはストロボ発光時に明るく加工した被写体を表示する。なお、電子ビューファインダ（ＥＶＦ）１０１は、カメラ背面のＴFＴ液晶のような表示装置であってもよい。
【００１５】
また、ＣＰＵ１０３がストロボ１０２を発光させなかったときには、ストロボが発光しなかったことを伝えるために電子ビューファインダ（ＥＶＦ）１０１にストロボが発光しなかったことを知らせる画面を表示する。ストロボが発光しなかったことを伝える画面はフラッシュメモリ１０５にあらかじめ格納されている画像を使用するか、もしくは被写体をわざと暗くし加工した被写体を表示する。
【００１６】
図２は、第１の実施形態におけるストロボ発光確認画面を電子ビューファインダ（ＥＶＦ）表示するまでのフローチャートである。被写体を電子ビューファインダ（ＥＶＦ）にてライブビュー表示（Ｓ２０１）している撮像装置にて、レリーズボタンＳ２スイッチオンすることにより、レリーズ指示（Ｓ２０２）が出される。その際に、ストロボ発光（Ｓ２０３）する。ストロボが本当に発光したか、否かの判定（Ｓ２０４）を行う。ストロボ発光ありの場合には、電子ビューファインダ（ＥＶＦ）表示にストロボ発光確認画面（Ｓ２０６）を表示する。
【００１７】
ストロボ発光なしの場合には、電子ビューファインダ（ＥＶＦ）表示に黒い画面を（Ｓ２０５）表示する。その後、撮像装置によって、被写体を撮像（Ｓ２０７）する。電子ビューファインダ（ＥＶＦ）に撮像した画像の表示（Ｓ２０８）をする。
【００１８】
図３は第１の実施形態における電子ビューファインダ（ＥＶＦ）にストロボ発光確認画面を表示する表示シーケンスである。レリーズ指示（Ｔ１）後、撮像素子にて露光を開始（Ｔ２）し、ストロボ発光（Ｔ３）する。さらにＥＶＦストロボ用表示を開始（Ｔ４）する。撮像素子により、露光終了（Ｔ５）し、露光結果の読み出し（Ｔ６）を開始する。ＥＶＦストロボ用表示を終了（Ｔ７）し、露光結果の読み出しを終了（Ｔ８）する。
【００１９】
図４は第１の実施形態における電子ビューファインダ（ＥＶＦ）の画面表示例である。被写体をライブビューで電子ビューファインダ（ＥＶＦ）に表示している例（４０１）。ストロボ発光確認画面の表示時における電子ビューファインダ（ＥＶＦ）の表示例（４０２a）。（図２フローチャート（Ｓ２０６）に相当する。）
ストロボ発光なし時における電子ビューファインダ（ＥＶＦ）の表示例（４０２ｂ）。
（図２フローチャート（Ｓ２０５）に相当する。）
撮像後の画像確認時における電子ビューファインダ（ＥＶＦ）の表示例（４０３）。
【００２０】
図４aは第１の実施形態におけるストロボ発光確認画面表示（図４ ４０２a）時の電子ビューファインダ（ＥＶＦ）の画面表示例である。
４ａ    ストロボ発光確認の電子ビューファインダ（ＥＶＦ）表示画面例１
（画面全体を真っ白にする画面表示例）
４ｂ    ストロボ発光確認の電子ビューファインダ（ＥＶＦ）表示画面例２
（ストロボが発光しているような画面表示例）
４ｃ    ストロボ発光確認の電子ビューファインダ（ＥＶＦ）表示画面例３
（被写体を薄く表示する画面表示例）
【００２１】
以上のように、ストロボ１０２が発光の有無によって電子ビューファインダ（ＥＶＦ）１０１にストロボ発光の有無を知らせる画面表示が可能になる。
【００２２】
また、本発明の好ましい実施形態について説明をしたが、本発明はこれらの実施形態に限定されず、その用紙の範囲内で種々の変形及び変更が可能である。
【符号の説明】
【００２３】
１０１  電子ビューファインダ（ＥＶＦ）
１０２  ストロボ
１０３  ＣＰＵ
１０４  記憶部
１０５  フラッシュメモリ
１０６  操作部
１０７  撮像制御部
１０８  撮像素子
１０９  ストロボ発光確認手段
４０１  被写体ライブビュー時の電子ビューファインダ（ＥＶＦ）表示画面例
４０２a  ストロボ発光確認の電子ビューファインダ（ＥＶＦ）表示画面
４０２b  ストロボ発光なしの時の電子ビューファインダ（ＥＶＦ）表示画面
（画面全体を黒画面表示）
４０３   ストロボ発光確認画面後の電子ビューファインダ（ＥＶＦ）表示画面例
４ａ    ストロボ発光確認の電子ビューファインダ（ＥＶＦ）表示画面例１
（画面全体を真っ白にする画面表示例）
４ｂ    ストロボ発光確認の電子ビューファインダ（ＥＶＦ）表示画面例２
（ストロボが発光しているような画面表示例）
４ｃ    ストロボ発光確認の電子ビューファインダ（ＥＶＦ）表示画面例３
（被写体を薄く表示する画面表示例）
【図１】
2018189807.tif 000003
【図２】
2018189807.tif 000004
【図３】
2018189807.tif 000005
【図４】
2018189807.tif 000006
【図４ａ】
2018189807.tif 000007